Podtech/llm-jp-corpus-v4-ja_patent huggingface dataset:
(57)【要約】  【課題】  狭小に感ぜられた上階を広い空間域に感ぜさせ、しかも、上階天井の省略による断熱効果を喪失させることのない、きわめて快適な居住空間である上階を備えた複数階の有る住宅を提供する。  【解決手段】  複数階を備えた住宅に係り、下階１の天井３を段差状にして前記下階１の一方の壁面４側に高天井部５を設ける。また、高天井部５の直上の上階２部には該天井部５の天井面３ａと平面視同形、同大で当該上階２の床面積の１／２以下の床面１０で、しかも、高さが１．４ｍ以下の空間部７を設ける。【選択図】    なし【実用新案登録請求の範囲】
【請求項１】
複数階を備えた住宅において、下階の天井を段差状にして前記下階の一方の壁面側に高天井部を設け、該高天井部の直上の上階部には該天井部の天井面と同形、同大で当該上階の床面積の１／２以下の床面で、しかも、高さが１．４ｍ以下の空間部を設けた、住宅。
【請求項２】
複数階を備えた住宅において、下階の天井を段差状にして前記下階の一方の壁面側に高天井部を設け、該高天井部の直上の上階部には該天井部の天井面と同形、同大で当該上階の床面積の１／２以下の床面で、しかも、高さが１．４ｍ以下の空間部を設けると共に、前記上階の屋根裏にロフトを設け、該ロフトと前記空間部を、共通の階段などの昇降用手段で前記上階の床面と連絡させた、住宅。
【請求項３】
高天井部の一方の壁面側部に窓を設けた、請求項１又は２記載の住宅。
【考案の詳細な説明】
【技術分野】
【０００１】
本考案は、複数階を備えた住宅に関するものである。
【背景技術】
【０００２】
敷地面積が充分な広さのない敷地を有効に利用して戸建て住宅を建築するには、必然的に複数階ということになるが、建蔽率や容積率の関係で床面積を抑制する必要があり、この点、所謂小屋裏にロフト（物置）を一定の条件（物置部分の面積が直下の階の床面積の１／２以下であることおよび物置の天井の高さは１．４ｍ以下であること）の下に設けることが効率な手段として提案されている（例えば、特許文献１）。
【０００３】
【特許文献１】特開２００２−１４７０３２号公報
【考案の開示】
【考案が解決しようとする課題】
【０００４】
小屋裏利用の物置は、物品の収納空間を構成する結果、居住空間の狭小化を避けるという意味で有効であるが、複数階の住宅の最上階に設けられることになるので、物品の頻繁な出し入れに利用するに不便さがあり、当該ロフト（物置）を建具のない開放形式のものにして当該階に開放感を与えるように工夫したものではあるが、小屋裏に設けるという意味で前記の不便さを解消し得たものではない。
【０００５】
本考案は、従来例の斯様な欠点を回避し、狭小な敷地を有効利用のできる住宅を提供することを目的として考案したものである。
【課題を解決するための手段】
【０００６】
複数階を備えた住宅において、下階の天井を段差状にして前記下階の一方の壁面側に高天井部を設け、該高天井部の直上の上階部には該天井部の天井面と同形、同大で当該上階の床面積の１／２以下の床面で、しかも、高さが１．４ｍ以下の空間部を設けたことを基本的手段とする。
【考案の効果】
【０００７】
本考案によれば、上階に該上階と連通する空間部を備えたことにより床面が狭小に感ぜられた上階を広い空間域として感じさせる上階を備えた住宅を提供できる。また、前記基本的手段に、前記上階を最上階として適用し、該上階の屋根裏にロフトを設け、該ロフトと前記空間部を、共通の階段などの昇降用手段で前記上階の床面と連絡させて複数個の物品収納部を昇降用手段でつなぐことにより物品の収納、取出作業を便に行え、収納整理上も好適な物品収納部のある住宅を提供できる。また、前記高天井部に窓を設けて採光に利用することにより、下階をなお一層明るい居住空間として利用できる住宅を提供できる。
【実施例】
【０００８】
図面は本考案に係る住宅の実施例を示し、図１は略示説明図、図２は第二実施例の一部の略示拡大説明図である。
【０００９】
実施例のものは、図示省略した階段でつないだ下階１と上階２を備えた２階建の住宅Ｈに本考案を適用したもので、下階１の天井３部を段差状にして前記下階１の壁面４側に高天井部５を設け、該高天井部５の高い天井３ａの直上の上階部分を前記上階２の床面８より一段高くした空間部７を設けてある。
【００１０】
下階１は、高天井部５の壁面４部に窓１８を受け、該窓１８を下階１用の採光手段の一つとして適用し、下階１をなお一層明るい居住空間として利用できるようにしてある。
【００１１】
前記窓１８は、嵌め殺しや開閉形式のものでも良く、開閉形式のものにすれば、下階１の通気効果を期待できる。
【００１２】
上階２は、下階１の低い天井３ｂ域と重なり合う部分を前記床面８と成し、この床面８の、下階１の前記壁面４の直上に位置する、上階２側の一方の壁面９側の端部に、該床面８より一段高くして床面１０を設けて構成した前記空間部７を備え、空間部７は前記床面１０から天井１２までの高さを１．４ｍ以下にし、床面１０の面積を上階２の床面８の面積の１／２以下にし、床面１０と該床面１０の直下に存する下階１側の前記高天井部５を構成する高い天井３ａ部は平面視同形、同大で構成してある。
【００１３】
なお、下階１の高天井部５を、天井３部の壁面９側の一端に部分的に設け、該部分的に設けた部分が上階２側においては突出部としてそのまま現われて空間部７が形成されるようにしても良い。
【００１４】
上階２の前記天井１２は、その全域において同面上に位置し、該天井１２の一部を開口１３して該開口１３部を介して上階２に連通するロフト（物置）１４を天井１２裏（すなわち、小屋裏に）に設け、ロフト１４はその開口１３を前記空間部７の直上より離れた位置にして備え、その高さが１．４ｍ以下でその床面１５の空間部７の前記床面１０との総和が上階２の床面８の面積より１／２以下にしたもので、上階２には床面１５を最上段とする階段１６を設けてロフト１４とつなげ、階段１６の中間部は前記空間部７（の床面１０）とつなげており、空間部７の出入りは、この階段１６を用いて行うようにしてある。
【００１５】
なお、実施例の階段１６（固定式）に代えてはしご（着脱式）を用いても不都合はなく、本考案の実施は、実施例のように２階建形式の住宅に限定する必要はない。
【００１６】
また、図２で示す第二実施例のように階段１６を、床面８と床面１０とをつなぐ下側階段１６ａと、床面１０と床面１５とをつなぐ上側階段１６ｂとで構成するようにしても良く、これら１６ａ，１６ｂは、もとよりはしご等の着脱式のものでも不都合はない。
【図面の簡単な説明】
【００１７】
【図１】略示説明図
【図２】第二実施例の一部の略示拡大説明図。
【符号の説明】
【００１８】
１      下階
２      上階
４      壁面
５      高天井部
１０    床面
【図１】
0003128860.tif 000002
【図２】
0003128860.tif 000003
(57)【要約】【課題】磁紛探傷検査で使用する検査液を流す工程において、検査液が流れるべき場所で滞留することがあり、この滞留が発生すると検査液の流れが阻害され、磁束が漏洩している場所に検査液中の微粒磁紛が泳動できなくなり、磁紛の吸着・集積が起こらなくなるため適切な検査ができなくなってしまう。【解決手段】本考案は、磁紛探傷検査において検査液が滞留してしまうことを防ぐために、検査装置に吸水器を組み合わせ、自動的に検査液を排水・除去することにより、円滑に検査液の流動を確保する装置である。検査液を、使用する液量に合わせて緩やかな流れにするため、吸水器による吸引は急激なものとならないように、吸水口の断面積と吸引力は調整可能な機能を有している。一定の検査範囲ごとに移動しながら連続的に検査を行うので、吸水口は適宜固定及び移動ができるよう、磁石や吸盤により設置する構造とした。【選択図】図1
0003128855.tif 000002
【実用新案登録請求の範囲】
【請求項１】
磁紛探傷検査において、検査面で検査液の円滑な流動を確保するため、吸水装置を組み合わせた吸水式磁紛探傷装置。
【請求項２】
請求項１に記載の吸水装置が、吸水機と吸水ホースと吸水口と吸水口を固定する吸水口固定台座により構成されている吸水式磁紛探傷装置。
【請求項３】
請求項２に記載の吸水口固定台座が、検査液の吸水を容易になるよう適当な位置に固定するため、磁石又は吸盤により構成されている吸水式磁紛探傷装置。
【考案の詳細な説明】
【技術分野】
【０００１】
本考案は、磁紛探傷において検査液の円滑な流動を確保する磁紛探傷装置に関する。
【背景技術】
【０００２】
鋼板の検査で行われている磁紛探傷検査は、鉄心コアに巻かれたコイルに電流を流して磁束を発生する磁化器によって鋼板を磁化し、目に見えない微細なきずにより漏洩する磁束に微粒な鉄粉を懸濁させた検査液を少しずつ流すことで鉄粉を吸着・集積させ目視で観察する。特許文献１及び特許文献２に記載されているように、工場内で円滑に検査できる検査装置はあるが、屋外などで行う場合において検査の精度や運用を容易にするため、吸水装置を組み合わせた磁紛探傷装置は存在しなかった。
【特許文献１】特許公開公報  平11-223610号公報
【特許文献２】特許公開公報2001-281226号公報
【考案の開示】
【考案が解決しようとする課題】
【０００３】
磁紛探傷検査で使用する検査液を流す工程において、検査液が流れるべき場所で滞留することがあり、この滞留が発生すると検査液の流れが阻害され、磁束が漏洩している場所に検査液中の微粒磁紛が泳動できなくなり、磁紛の吸着・集積が起こらなくなるため適切な検査ができなくなってしまう。
【０００４】
そこで、滞留した検査液をスポンジや布きれなどで拭き取り、新しい検査液の流れを確保するように検査作業を行う。しかし、連続的な検査作業においては、拭き取り作業は大変煩雑な作業であり、拭き取り作業に失敗すると検査液の流動を妨げ、適切な検査結果が得られなくなる問題があった。
【０００５】
本考案は、上記の問題点を解決することを目的としている。
【課題を解決するための手段】
【０００６】
本考案は、磁紛探傷検査において検査液が滞留してしまうことを防ぐために、検査装置に吸水器を組み合わせ、自動的に検査液を排水・除去することにより、円滑に検査液の流動を確保する装置である。検査液を、使用する液量に合わせて緩やかな流れにするため、吸水器による吸引は急激なものとならないように、吸水口の断面積と吸引力は調整可能な機能を有している。一定の検査範囲ごとに移動しながら連続的に検査を行うので、吸水口は適宜固定及び移動ができるよう、磁石や吸盤により設置する構造とした。
【考案の効果】
【０００７】
本考案により、検査液の吸引を行えるようになることで、検査液の流動が円滑に発生し、きずの検出精度が向上した。さらに、検査終了後に不要となった検査液をスポンジ等で除去する作業が必要であったが、吸引器により除去作業が無くなり、作業効率が向上した。
【考案を実施するための最良の形態】
【０００８】
図を用いて考案の詳細な説明を行う。図１に検査装置の全体を示す。溶接線付近を検査するので、溶接線にそって検査液を流す。コイル106が巻かれている磁化器105を検査範囲に沿ってAの場所からB及びCへ移動させる。このとき検査液が滞留してしまうと検査がうまくいかないので、検査液が滞留しないようにするため不要な検査液を吸引して取り除く必要がある。吸引には吸水器104を用いるが、検査液を吸引する吸水口101を磁化器105から適切な距離に設置する必要があるため、吸水口101を設置する吸水口台座102を吸着装置によって固定する。吸着装置はマグネット又は吸盤を用いるのが適切である。吸水口10１から吸水機104の間はホース103で接続する。吸水口101と吸水口台座102の間は吸水口101の設置において調整可能なようにフレキシブルで位置を固定できるように螺旋管を用いている。吸水機104は検査液などが入ると重量があり、連続的に検査を行うためには移動しなければならないので、車輪がつけられている。
【０００９】
検査中に検査液が滞留せずに流動するようにすることにより、図２に示すように磁極間に生じる鋼中磁束111が、図３に示すようにきず部で漏洩するので、検査液に含まれている磁紛が吸着および集積する。
【００１０】
上記に示すように磁紛探傷検査装置に不要な検査液を連続的に取り除く吸水システムを組み合わせることによって、従来の磁紛探傷を行う上での欠点をみごとに解消させ、安定した磁紛探傷検査を実施することができるようになった。
【図面の簡単な説明】
【００１１】
【図１】磁紛探傷検査装置の実施全体図
【図２】検査部での検査液の流れる様子を示す図
【図３】平板突合せ溶接部においての鋼中磁束漏洩を示す図
【符号の説明】
【００１２】
101吸水口
102吸水口台座
103ホース
104吸水機
105磁化器
106磁化器に巻かれたコイル
107不要な検査液の流れ
108溶接線
109検査範囲
110磁極
111鋼中磁束を示す
112検査液の流れ
113磁場への磁紛吸着及び集積の説明
【図１】
0003128855.tif 000003
【図２】
0003128855.tif 000004
【図３】
0003128855.tif 000005
(57)【要約】【課題】  本考案は花本体と指輪を一体化させることにより互いに持つ魅力を引き立たせあう。【解決手段】 本考案は花１の直径が指輪２の直径を下回り、葉３の面積が指輪２の外周の大きさを上回る期間に、花１から指輪２を花首４に通すことにより花が咲く時期には、指輪２が花本体から容易に外せなくなり、花と指輪が一体化する。一体化することにより互いの魅力を引き立たせあう。【選択図】  図１
0003128858.tif 000002
【実用新案登録請求の範囲】
【請求項１】
花が蕾の期間に、いわゆる花の直径が，指輪の直径を下回る期間に指輪を花から花首に通すことにより花と葉の間の花首に、指輪が容易に外れないよう装着された花本体と指輪を一体化させた装飾品。
【考案の詳細な説明】
【技術分野】
【０００１】
本考案は、花本体と指輪が容易に外れる事のない装飾品に関するものである。
【背景技術】
【０００２】
従来、花は花、指輪は指輪と一体化したものではなかった。
【考案の開示】
【考案が解決しようとする課題】
【０００３】
花と指輪を相乗効果により、更に魅力的なものになることを解決しようとするものである。
【課題を解決するための手段】
【０００４】
本考案は、互いに魅力的なものを、一体化させることにより課題を解決している。
【考案の効果】
【０００５】
上述の様に、本考案の花本体と指輪が一体化した装飾品は、互いに魅力を引き立たせることにより、より一層魅力的なものにしている。
【考案を実施するための最良の形態】
【０００６】
花の直径が指輪の直径を上回り葉の面積が指輪の外周の大きさを上回ること。
【実施例】
【０００７】
以下、添付画面に従って一実施例を説明する。花１が蕾の期間に、いわゆる花１の直径が、指輪２の直径を下回る期間に指輪２を花１から花首４に通す。
【０００８】
葉３の面積は、指輪２の外周の大きさを上回っていなければならない。
【図面の簡単な説明】
【０００９】
【図１】本考案の花本体と指輪が一体化した装飾品の実施例を示す図である。
【符号の説明】
【００１０】
１  花
２  指輪
３  葉
４  花首
【図１】
0003128858.tif 000003
(57)【要約】【課題】いかなる釘も不要で迅速に固定でき、施工効率が増加する配線箱の構造を提供する。【解決手段】配線箱本体は適当な金属材質で一体成形でなる箱体で、その周壁と底部の所定位置は複数の挿入孔を環設する。開口端の頂縁所定位置は耳部と数個のテーパ状爪を有し、耳部は内側に凸設すると共に螺孔を穿設し、テーパ状爪は配線箱開口端に沿って軸に平行に外側に突出するテーパ状を呈する爪で、配線箱はこの爪によりモールド上に直接打ち入れられて固定する。【選択図】図１
0003128847.tif 000002
【実用新案登録請求の範囲】
【請求項１】
配線箱の構造であって、前記配線箱本体は適当な金属材質で一体成形した箱体で、周壁、及び、底部の所定位置に複数の挿入孔を設置し、その開口端の頂縁の所定位置に相対して耳部を有し、前記耳部は螺孔を穿設し、その特徴は、数個の爪は、前記配線箱本体開口端の頂縁に配置され、頂縁の所定位置で軸に平行に外に延伸した複数のテーパ状の爪で、前記爪は前記配線箱本体と一体成形でなることを特徴とする配線箱の構造。
【請求項２】
前記爪は少なくとも二つで、前記配線箱本体開口端の頂縁に相対して設置されることを特徴とする請求項１に記載の配線箱の構造。
【請求項３】
前記爪の長さは前記耳部と同じであることを特徴とする請求項１に記載の配線箱の構造。
【考案の詳細な説明】
【技術分野】
【０００１】
本考案は配線箱に関するものであって、特に、配線箱の開口端に複数のテーパ状爪を設置する配線箱の構造に関するものである。
【背景技術】
【０００２】
公知の配線箱は一体成形の箱体で、その周壁の所定位置に複数の挿入孔を設け、底部の所定位置に若干の螺孔を有し、これにより、配線箱は複数のねじを対応する螺孔に鎖固して一つずつモールドに鎖固し、配線箱がモールドの所定位置に固定される。
【０００３】
公知の配線箱はねじを対応する螺孔に穿過させ、鉄筋コンクリート（RC）のモールド上に鎖入して固定し、釘打ち機によりねじを配線箱底部の螺孔に打ち入れ、ねじが長すぎてモールドを破壊したり、ねじが短すぎて脱落しやすかったり、或いは、コンクリート注入中にシフトを生じる。
【考案の開示】
【考案が解決しようとする課題】
【０００４】
本考案は、配線箱の構造を提供し、配線箱本体は適当な金属材質で一体成形した箱体で、周壁、及び、底部の所定位置に複数の挿入孔を設置し、その開口端の頂縁の所定位置に相対して耳部と数個の爪を有し、配線箱はこれらの爪により直接モールド上に打ち入れられて固定することを目的とする。
【０００５】
本考案は、配線箱の構造を提供し、公知の配線箱の功能効果を保有する以外に、爪を直接モールドに打ち入れて固定するので、ねじを使用しなくても迅速に固定でき、施工効率を向上させることをもう一つの目的とする。
【課題を解決するための手段】
【０００６】
本考案の配線箱本体は、適当な金属材質で一体成形でなる箱体で、周壁と底部の所定位置に複数の挿入孔を設置し、開口端の頂縁の所定位置は相対して内側に耳部を凸設し、耳部は螺孔を穿設する。
【考案の効果】
【０００７】
本考案の配線箱本体は爪によりモールド上に固定されるので、ねじによりモールドに固定する必要がなく、また、爪の長さは耳部とほぼ同じで、爪がモールドに打ち入れられる時、過長でモールドが取り外しにくかったり、過短でモールド上に固定しにくかったりという問題が改善される。
【考案を実施するための最良の形態】
【０００８】
図１、及び、図２は、本考案の配線箱の構造の好ましい実施例を示す図である。配線箱本体１０は適当な金属材質で一体成形でなる箱体で、周壁１１と底部１２の所定位置に複数の挿入孔１３を設置し、開口端１４の頂縁の所定位置は相対して内側に耳部１４１を凸設し、耳部１４１は螺孔１４２を穿設し、その特徴は以下のようである。
【０００９】
数個の爪２０は配線箱本体１０開口端１４の頂縁に配置され、頂縁の所定位置で軸に平行に外に延伸した複数のテーパ状の爪で、これらの爪は配線箱本体１０と一体成形でなり、爪２０は少なくとも二つで、本考案の好ましい実施例では四個の爪２０を用い、配線箱本体１０の開口端１４の頂縁に設置され、また、爪２０の長さは耳部１４１とほぼ同じである。
【００１０】
図２で示されるように、本考案の実施例の配線箱使用時、配線箱１０開口端１４上の複数の爪２０をモールド中に打ち入れ、モールドの所定位置の壁面上に固定し、これにより、ねじを使用して、配線箱本体１０をモールド上に鎖固してコンクリート注入作業を施さなくてもよく、配線箱本体１０のコンクリート注入工程中にシフトせず、また、モールドの取り外し時に容易である。
【００１１】
図３、及び、図４は、本考案のもう一つの実施例を示す図で、配線箱は八角形を呈する配線箱本体３０で、周壁３１と底部３２も複数の挿入孔３３を有し、開口端３４は同時に、内外に向く複数の耳部３４１を有し、その上に複数の螺孔３４２を有し、主な功能は前述の実施例と相同であり詳述しない。
【００１２】
本考案の長所と功能は以下のようである。１．本考案の配線箱本体は爪によりモールド上に固定されるので、ねじによりモールドに固定する必要がない。２．本考案の爪の長さは耳部とほぼ同じで、爪がモールドに打ち入れられる時、過長でモールドが取り外しにくかったり、過短でモールド上に固定しにくかったりという問題が改善される。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の配線箱の外観立体図である。
【図２】本考案の施工組設図である。
【図３】本考案のもう一つの実施例による立体外観図である。
【図４】本考案のもう一つの実施例による施工組設図である。
【符号の説明】
【００１５】
１０            配線箱本体
１１、３１      周壁
１２、３２      底部
１３、３３      挿入孔
１４、３４      開口端
１４１、３４１  耳部
１４２、３４２  螺孔
２０、４０      爪
３０            八角形配線箱本体
【図１】
0003128847.tif 000003
【図２】
0003128847.tif 000004
【図３】
0003128847.tif 000005
【図４】
0003128847.tif 000006
(57)【要約】【課題】  封筒を受け取った人が開け易く、しかも保存しておき易い封筒ための封筒用紙及びこれを組み立てた封筒を提供することを課題とする。【解決手段】  表紙対応部分１と裏紙対応部分２とを同一形状の２個の連接部分３を介して連接した封筒用紙であって、上記２個の連接部分は分離用のミシン目４により相互に連接されるとともに２個の連接部分の側部には封筒として組み立てられる際に相互に重なり合う耳部５が形成されていることを特徴とする封筒用紙である。【選択図】        図１
0003128815.tif 000002
【実用新案登録請求の範囲】
【請求項１】
表紙対応部分と裏紙対応部分とを同一形状の２個の連接部分を介して連接した封筒用紙であって、上記２個の連接部分の間は分離用のミシン目により相互に連接されるとともに２個の連接部分の両側部には封筒として組み立てられる際に相互に重なり合う耳部が形成されていることを特徴とする封筒用紙。
【請求項２】
表紙対応部分には受取人住所書部が設けられ、また裏紙対応部分には差出人住所書部が設けられており、連接部分の幅は開封して折り返した際に上記受取人住所書部及び差出人住所書部を覆うことができるような幅に選定されていることを特徴とする請求項１に記載の封筒用紙。
【請求項３】
請求項１又は２に記載の封筒用紙を用いて組み立てた封筒。
【考案の詳細な説明】
【技術分野】
【０００１】
本考案は、手紙等を収納して送付する封筒のための封筒用紙及びこれを用いて組み立てた封筒に関する。
【背景技術】
【０００２】
手紙等を収納して送付する封筒は、従来より搬送機能の改善を目標に多くの提案がなされてきた。
ところが多くの人は、封筒が配達されると中身の手紙を取り出して読んだ後は、手紙を保存することはあっても、封筒は破棄してしまうことが多かった。また手紙を封筒に戻して保存することもあるが、封筒に開封痕が残ったりして、美しく保存するという意味では難があった。
すなわちこれまでは、保存しておくための封筒としての視点での提案はなされていない。
【特許文献１】実開平６−１２３４０号公報
【考案の開示】
【考案が解決しようとする課題】
【０００３】
したがって本考案は、封筒を受け取った人が開け易く、しかも保存しておき易い封筒のための封筒用紙及びこれを用いて組み立てた封筒を提供することを課題とする。
【課題を解決するための手段】
【０００４】
本考案の課題を解決するための具体的な手段は、次のとおりである。
（１）表紙対応部分と裏紙対応部分とを同一形状の２個の連接部分を介して連接した封筒用紙であって、上記２個の連接部分の間は分離用のミシン目により相互に連接されるとともに２個の連接部分の両側部には封筒として組み立てられる際に相互に重なり合う耳部が形成されていることを特徴とする封筒用紙。
【０００５】
（２）表紙対応部分には受取人住所書部が設けられ、また裏紙対応部分には差出人住所書部が設けられており、連接部分の幅は開封して折り返した際に上記受取人住所書部及び差出人住所書部を覆うことができるような幅に選定されていることを特徴とする（１）に記載の封筒用紙。
【０００６】
（３）（１）又は（２）に記載の封筒用紙を用いて組み立てた封筒。
【考案の効果】
【０００７】
本考案の封筒用紙によれば、次のような効果がある。
（１）簡単な構造であるため、組み立て易い。
（２）封筒上部に耳部がありここに指を入れてミシン目に沿って開いて行くだけなので、誰にでも簡単に開け易い。
（３）２個の連接部を適宜折り返すことにより、受取人の住所又は差出人の住所あるいは双方の住所を隠すことができる。このため個人情報を保護することができる。
【考案を実施するための最良の形態】
【０００８】
本考案の実施の形態について図面を参照して詳細に説明する。
図１は、本考案に係る封筒用紙を示す図面である。
封筒用紙は、表紙対応部分１と裏紙対応部分２とを同一形状の２個の連接部分３を介して連接している。上記２個の連接部分の境界部分には分離用のミシン目４が設けられており、上記分離用のミシン目４を山折りにして封筒を組み立てる。
同一形状の２個の連接部分３の側部には封筒として組み立てられる際に相互に重なり合う耳部５が形成されている。
【０００９】
表紙対応部分１には受取人住所書部６また裏紙対応部分２には差出人住所書部７がそれぞれ設けられている。
表紙対応部分１には、糊代８が設けられている。なお糊代は裏紙対応部分２の周囲等適宜の部分に設けてもよい。
【００１０】
図２は本考案の封筒用紙を組み立てた封筒の使い方を説明する図面である。
以下その使用方法について説明する。
（ａ）は、本考案の封筒用紙を用いて組み立てた封筒である。
封筒上方の耳部の隙間から親指を入れて、連接部分の間をミシン目４に沿って破いて、開封する。
次に手紙を取り出して読む（ｂ）。
【００１１】
最後に手紙を封筒に戻し、封筒の上方と側面にはみ出した連接部３と耳部５を折って、固定する（ｃ）。
連接部分３の幅を差出人の住所が隠れる幅としてある。そして差出人の住所が隠れることによりは、送り相手にさりげない思いやりとなる。
また（ｃ）とは逆に受取人住所書部が隠れるようにしてもよい。さらに２個の連接部３を互いに反対方向に折って双方の住所書部が隠れるようにしてもよい。
【図面の簡単な説明】
【００１２】
【図１】本考案の封筒用紙を示す図面である。
【図２】本考案の封筒用紙を組み立てた封筒の使い方を説明する図面である。
【符号の説明】
【００１３】
１  表紙対応部分
２  裏紙対応部分
３  連接部分
４  ミシン目
５  耳部
６  受取人住所書部
７  差出人住所書部
８  糊代
【図１】
0003128815.tif 000003
【図２】
0003128815.tif 000004
(57)【要約】【課題】  パーキンソン病患者にみられる歩行障害の中でも特に改善の難しいすくみ足に対して、杖に目印となる「ひも」「棒」をつけることが考えられてきたが、ひっかかったり、足にあたったりして、転倒の危険性が高かった。【解決手段】  杖にレーザー発光器３をつける。投影された線状光を目印にすることで歩行の第一歩を可能とし、転倒の危険性を低下させる。【選択図】  図１
0003128818.tif 000002
【実用新案登録請求の範囲】
【請求項１】
使用者の足元やや前方に、またぐように歩行するための目印となる線状光を投影するレーザー発光器をとりつけたことを特徴とする歩行障害改善用の杖。
【請求項２】
前記線状光は、前記レーザー発光器のレーザー発射口スリットを介して、明るい場所でも識別可能に投影され、
前記レーザー発光器は、軸を中心に振り子状に動作する円盤を介して前記杖本体にとりつけられ、杖が前記軸と直交する方向に傾いても使用者の足元に前記線状光を投影できるようにしたこと、
を特徴とする請求項１記載の歩行障害改善用の杖。
【考案の詳細な説明】
【技術分野】
【０００１】
本考案は、パーキンソン病患者の歩行障害に高頻度にみられる「すくみ足」状態を改善するための杖に関する。
【背景技術】
【０００２】
歩行障害の患者に使われる杖に、「ひも」や「棒」がでるような仕組みをつけてすくみ足の最初の一歩のきっかけを作る工夫がなされたものがあった。
【特許文献１】特開２００１−１４９４２６号公報
【特許文献２】特開２００２−１１３０５７号公報
【考案の開示】
【考案が解決しようとする課題】
【０００３】
しかしながら、以上の技術によれば、一歩を出した足に「ひも」や「棒」が当たり、転倒の危険性が生じていた。
【課題を解決するための手段】
【０００４】
以上の課題を解決するために、使用者の足元やや前方に、またぐように歩行するための目印となる線状光（レーザーにより明るい場所でも識別可能）を投影するレーザー発光器をとりつけたことを特徴とする歩行障害改善用の杖を提供する。
【０００５】
即ち、本考案によれば、使用者の足元やや前方に、またぐように歩行するための目印となる線状光を投影するレーザー発光器をとりつけたことを特徴とする歩行障害改善用の杖が提供される。
【考案の効果】
【０００６】
杖の手にスイッチをつけ操作し、すくみ足の一歩を出す目印が出現することで、これを目標として転倒することなく第一歩が踏み出せ、歩行することが可能となる。
【考案を実施するための最良の形態】
【０００７】
この考案の一実施形態を、図１〜図３に示す。杖の本体１は、木材または金属性であり、本体１の下部に円盤２を軸を中心に振り子のように動く形でとりつける。その円盤には図４に示すように、線状光を投影するレーザー発光器３を接着し、線状レーザー光が使用者の手前に出現するような角度で固定し、杖上部にスイッチをつけて、杖内部に電線電池を内蔵させ、操作する。
【０００８】
「実施形態の効果」
この実施形態によれば、スイッチ操作により円盤２が振り子となり、杖が不安定に傾いても図５に示すように使用者のやや前方に線状光が出現する。この線をまたぐように歩行すると、「すくみ足」状態が改善する。
【０００９】
「他の実施形態」
図１の実施形態では、レーザー発光器の電池は杖に内臓される形態であるが、内臟されなくても良い。また、投影された線状レーザー光が使用者の足元に投影される形であれば、円盤とレーザー発光器を固定せず、角度を変える方法をとっても良い。
【図面の簡単な説明】
【００１０】
【図１】この考案の一実施形態を示す斜視図及びレーザー光の発射位置である。
【図２】この考案の一実施形態を示す横図である。
【図３】この考案の一実施形態を示す横図及び、レーザー発光器とスイッチ間の内部構造である。
【図４】この考案の円盤上のレーザー発光器とスリットである。
【図５】上方から見た使用者、杖、投影レーザー光の位置である。
【符号の説明】
【００１１】
１  杖本体、２  円盤（円板）、３  レーザー発光器、４  レーザー発光器スイッチ、５  電線、６  軸、７  とって、８  電池、９  レーザー発射口スリット 
【図１】
0003128818.tif 000003
【図２】
0003128818.tif 000004
【図３】
0003128818.tif 000005
【図４】
0003128818.tif 000006
【図５】
0003128818.tif 000007
(57)【要約】      （修正有）【課題】一般人でも持ち運びに便利なように軽量とし、しかも盾板本体全体から使用者が相手方の動き等を視認することが出来るよう視界を広め、更に相手方面からは使用者の裏方を視認出来ないようにして、警護する人の身に安全な防護盾を提供し、且つ室内に掛けておくことによる反射照明効果、鏡面による防犯効果を高める。【解決手段】少なくとも防弾、防刃機能を有する透明或は半透明な合成樹脂製の盾板本体の裏側には握持部を設けると共に、盾板本体の内面或は外面には、裏側からは表側の相手方を視認でき、表側の相手方からは裏側方面を視認することの出来ないハーフミラー加工を施してなる防護盾である。【選択図】図１
0003128827.tif 000002
【実用新案登録請求の範囲】
【請求項１】
少なくとも防弾、防刃機能を有する透明或は半透明な合成樹脂製の盾板本体の裏側には握持部を設けると共に、盾板本体の内面或は外面には、裏側からは表側の相手方を視認でき、表側の相手方からは裏側方面を視認することの出来ないハーフミラー加工を施してなる防護盾。
【考案の詳細な説明】
【技術分野】
【０００１】
本考案は刃物、殴打、投石、弾丸、火炎等から使用者の身体を防護するための盾に関する。
【背景技術】
【０００２】
従来警察官等が使用する防護盾は金属製のものが殆どであり、しかも不透明であるため相手方の動き等を確認するには上部に設けた小さな覗き窓より覗くのが一般的である。
そのため重量が嵩んで持ち運びに不便であると共に、視界が狭くなってしまい十分な防護体制がとれなくなり警護等をする方が身の危険にさらされる恐れがある。
【考案の開示】
【考案が解決しようとする課題】
【０００３】
そこで本考案は、一般人でも持ち運びに便利なように軽量とし、しかも盾板本体全体から使用者が相手方の動き等を視認することが出来るよう視界を広め、更に相手方面からは使用者の裏方を視認出来ないようにして、警護する人の身に安全な防護盾を提供し、且つ室内に掛けておくことによる反射照明効果、鏡面による防犯効果を高めようとするものである。
【課題を解決するための手段】
【０００４】
少なくとも防弾、防刃機能を有する透明或は半透明な合成樹脂製の盾板本体の裏側には握持部を設けると共に、盾板本体の内面或は外面には、裏側からは表側の相手方を視認でき、表側の相手方からは裏側方面を視認することの出来ないハーフミラー加工を施してなる防護盾である。
【考案の効果】
【０００５】
本考案の効果として、一般人でも持ち運びに便利な軽量化を計ることができ、しかも盾板本体全体から使用者が相手方の動き等を視認することが出来るので視界が広まって警護する人の安全性が高まる。又陳列商品の近くに立てかけ等しておくことにより陳列商品の反射照明効果が高まり、同時に鏡面効果によりスリ盗難予防にもなる。
【実施例】
【０００６】
本案を図示の実施例により詳記すると、少なくとも防弾、防刃機能を有するポリカーボネート等の透明或は半透明な合成樹脂製の盾板本体１の裏側には縦、横の握持部２、２を設けると共に、盾板本体１の内面或は外面には、裏側からは表側の相手方を視認でき、表側の相手方からは裏側方面を視認することの出来ないハーフミラー加工３を施してなるものである。
【０００７】
形状的には正面視が丸型、矩形型や、平面視が平板型、曲面など何れの形状でもよい。
盾板本体１の周縁には緩衝縁4を周設して破損を防止し、同時に緩衝縁４に蓄光テープ５を接着しておくとよい。図中６は引っ掛け穴である。
【図面の簡単な説明】
【０００８】
【図１】本考案に係る防護盾の裏面説明図。
【図２】図１のＡ―Ａ線断面説明図
【図３】図１のＢ―Ｂ線断面説明図
【図４】防護盾の表面説明図
【符号の説明】
【０００９】
１：盾板本体
２、２：握持部
３：ハーフミラー加工
４：緩衝縁
５：蓄光テープ
６：引っ掛け穴
【図１】
0003128827.tif 000003
【図２】
0003128827.tif 000004
【図３】
0003128827.tif 000005
【図４】
0003128827.tif 000006
(57)【要約】【課題】把持部の形状を工夫して、強く把持しても指がぐらつかないようにすることによって、洗髪時に、しっかりと保持することができる洗髪用ブラシを提供する。【解決手段】突起を設けた底部と、この底部の上面に装着された把持部とからなる洗髪用ブラシにおいて、この把持部の断面を多角形としたことを特徴とする、洗髪用ブラシである。【選択図】図１
0003128822.tif 000002
【実用新案登録請求の範囲】
【請求項１】
突起を設けた底部と、この底部の上面に装着された把持部とからなる洗髪用ブラシにおいて、この把持部の断面を多角形としたことを特徴とする、洗髪用ブラシ。
【請求項２】
前記把持部の断面を六角形としたことを特徴とする、請求項１に記載の洗髪用ブラシ。
【請求項３】
前記把持部の側面に滑り止め部を設け、前記把持部の上面の周縁に面取り部を設けたことを特徴とする、請求項１又は２に記載の洗髪用ブラシ。
【考案の詳細な説明】
【技術分野】
【０００１】
本考案は、把持部の形状を工夫し、強く把持しても指がぐらつかないようにすることにより、洗髪時にしっかりと保持できるようにした、洗髪用ブラシに関する。
【背景技術】
【０００２】
従来、洗髪用ブラシの保持手段としては、指で挟むためのハンドル部を設けたものや、手で握るための、側面が曲面の把持部を設けたものがあった(たとえば特許文献１参照)。
【特許文献１】特開平０９−２７６０３３号
【考案の開示】
【考案が解決しようとする課題】
【０００３】
しかしこれらは、洗髪用ブラシの保持手段としては不十分であった。なぜなら洗髪時には、シャンプー液による泡が生じ、それが抵抗となってブラシの通りを妨げるため、ブラシをしっかり保持できなければ、この泡の抵抗に負けないようにブラシを動かすことはできない。しかし、従来のハンドル部を設けた洗髪用ブラシでは、細いハンドル部を指で挟むだけなので、しっかりと保持しにくかった。また、側面が曲面の把持部を設けた洗髪用ブラシも、把持部を強く握ろうとすると、曲面に指を押し付けてしまうので、指が左右にぐらつきやすく(図８)、しっかりと保持しにくかった。本考案は、このような不都合を解決することを課題とする。
【課題を解決するための手段】
【０００４】
この課題を解決するための請求項１の考案は、突起を設けた底部と、この底部の上面に装着された把持部とからなる洗髪用ブラシにおいて、この把持部の断面を多角形としたことを特徴とする、洗髪用ブラシである(図１)。断面を多角形としたのは、把持部の側面の全面に平面を設けるためである。
【０００５】
また、請求項２の考案は、前記把持部の断面を六角形としたことを特徴とする、洗髪用ブラシである(図３)。断面を六角形としたのは、側面に設けられた平面の位置を、把持し易く、指に負担をかけない位置とするためである。
【０００６】
また、請求項３の考案は、前記把持部の側面に滑り止め部を設け、前記把持部の上面の周縁に面取り部を設けたことを特徴とする、請求項１又は２に記載の洗髪用ブラシである(図４)。面取りとは、把持部上面の外周の角をとることである。
【考案の効果】
【０００７】
把持部の断面を多角形としたことで、把持部の側面に平面が設けられるので、強く把持しても指がぐらつくことはなくなり(図５)、洗髪時に、ブラシをしっかり保持できるようになった。また、多角形としたことで、側面の全面に平面が設けられるので、側面の一部に平面をもうけた場合のように平面を捜して把持する必要がなく、無造作に把持しても、指先は、側面に設けられた平面を捉えることができ、便利である。
【０００８】
また、把持部の断面を六角形としたことで、側面に設けられた平面の位置と、自然に把持したときの指の位置が重なるため、指に無理な力を加えることなく、楽に把持できるようになった(図６)。また、手の平に収まりやすい形状となるため、把持し易くなった。
【０００９】
また、把持部の側面に滑り止め部を設けたことにより(図４)、把持した時に指が滑りにくくなった。さらに、把持部の上面の周縁に面取り部を設けたことにより、指をかけ易くなり、ブラシを把持し易くなった。
【考案を実施するための最良の形態】
【００１０】
図１は、把持部の断面を多角形とした洗髪用ブラシの斜視図であり、図２は、その把持部を、底部と平行に切断した横断面図である。図中では、四角形を例にとって説明しているが、多角形であればそれ以外の形状でもよい。材料は、合成樹脂で、図２では、把持部を中空にしたが、中実にしてもよい。また、把持部の上面に、丸みをもたせてもよい。
【００１１】
底部に設けた突起４の形状は、図１より、太くしたり細くしても、長くしたり短くしてもよい。本数を増減させてもよい。また、先端を球状にしたりすれば、頭皮を傷つけない。底部３の外周の形状は、把持部の断面の形状に合わせ、例えば把持部の断面が四角形であれば、四角形にする。
【００１２】
把持部と底部は、固着させてもよいし、それ以外の方法で、装着させてもよい。例えば、図７は、底部の上面の周辺に、凹部９又は凸部１０を設けた壁部８を設け、これと対向する把持部側面の内側に、凸部１０又は凹部９を設け、両者を係合させて、着脱自在に装着させたものである。着脱自在とすることで、例えば、異なる色や模様の、把持部または底部を用意し、それと交換することもできる。
【００１３】
図３は、把持部の断面を六角形とした洗髪用ブラシの斜視図である。六角形とすることで、指に負担をかけずに把持でき、手の平にも収まり易くなるが、六角形以外でも五角形や七角形、あるいは八角形でも同様の効果が得られ好ましい。
【００１４】
図４は、前記把持部の側面に滑り止め部６を設け、前記把持部の上面の周縁に面取り部７を設けた、洗髪用ブラシの斜視図である。図４は、滑り止め部の例として溝を設けたが、凹凸を設けるなど、溝以外の滑り止め加工をほどこしてもよい。また、溝は、縦だけではなく、横に設けても、交差させてもよい。
【図面の簡単な説明】
【００１５】
【図１】本考案の実施例の斜視図である。
【図２】実施例の把持部の横断面図である。
【図３】他の実施例の斜視図である。
【図４】他の実施例の斜視図である。
【図５】底面側から見た本考案の使用状態説明図である。
【図６】他の実施例の使用状態説明図である。
【図７】他の実施例の縦断面図である。
【図８】従来の把持部を設けた洗髪用ブラシの使用状態説明図である。
【符号の説明】
【００１６】
１  把持部の断面を多角形とした洗髪用ブラシ
２  把持部
３  底部
４  突起
５  把持部の断面を六角形とした洗髪用ブラシ
６  滑り止め部
７  面取り部
８  壁部
９  凹部
１０  凸部
１１  従来の把持部を設けた洗髪用ブラシ
【図１】
0003128822.tif 000003
【図２】
0003128822.tif 000004
【図３】
0003128822.tif 000005
【図４】
0003128822.tif 000006
【図５】
0003128822.tif 000007
【図６】
0003128822.tif 000008
【図７】
0003128822.tif 000009
【図８】
0003128822.tif 000010
(57)【要約】      （修正有）【課題】電源線から侵入する雷サージから負荷を保護する保安装置に関し、特に雷サージの検出日時、時間、電流値を検出・記憶可能とした保安装置を提供する。【解決手段】電源線を避雷素子を介して接地した保安装置であって、接地線に配設した電流センサに接続した整流回路の出力電圧を保持する充電回路と、整流回路の出力電圧が所定値を超えたときトリガー電圧を出力するトリガー回路を設け、トリガー回路からの信号及び充電回路に保持している電圧をＡ／Ｄ変換して雷サージ電流値としてメモリに記憶するＣＰＵを設け、インターフェースを介して外部コンピュータに記憶データを取り込むようにした雷サージ検出機能付保安装置。【選択図】図１
0003128869.tif 000002
【実用新案登録請求の範囲】
【請求項１】
電源線を避雷素子を介して接地した保安装置において、接地線に配設した電流センサに整流回路を接続し、整流回路の出力電圧を保持する充電回路と、整流回路の出力電圧が所定値を超えたときトリガー電圧を出力するトリガー回路を設け、トリガー回路からの信号の発生回数をカウントするとともに検出日時、時間及び充電回路に保持している電圧をＡ／Ｄ変換して雷サージ電流値としてメモリに記憶するＣＰＵを設け、インターフェースを介して外部コンピュータに記憶データを取り込むようにした雷サージ検出機能付保安装置。
【請求項２】
ＣＰＵ内のメモリに記憶したデータを表示する表示器を有する請求項１記載の雷サージ検出機能付保安装置。
【請求項３】
電力搬送通信を利用し、インターフェースを介して離隔地点に設置した外部コンピュータに記憶データを取り込むようにした請求項１または２記載の雷サージ検出機能付保安装置。
【考案の詳細な説明】
【技術分野】
【０００１】
この考案は電源線から侵入する雷サージから負荷を保護する保安装置に関し、特に雷サージの検出日時、時間、電流値を検出・記憶可能とした保安装置に関する。
【背景技術】
【０００２】
電源線から侵入する雷サージから負荷を保護するため電源線にバリスタ等の避雷素子を接続して接地した保安装置が知られている。  
【考案の開示】
【考案が解決しようとする課題】
【０００３】
このような保安装置を設置すれば雷サージから負荷を保護することは可能であるが、雷サージを受けた回数、日時、電流値などの履歴を残すことができず、落雷を受けた際に詳細な保守点検が行えない難点があった。
【０００４】
そこで、本考案の目的とするところは、雷サージの検出日時、時間、電流値を検出・記憶可能とした雷サージ検出機能付保安装置を提供するところにある。
【課題を解決するための手段】
【０００５】
上記目的を達成するため、本考案の保安装置は次のように構成される。
【０００６】
すなわち、電源線を避雷素子を介して接地した保安装置において、接地線に配設した電流センサに整流回路を接続し、整流回路の出力電圧を保持する充電回路と、整流回路の出力電圧が所定値を超えたときトリガー電圧を出力するトリガー回路を設け、トリガー回路からの信号の発生回数をカウントするとともに検出日時、時間及び充電回路に保持している電圧をＡ／Ｄ変換して雷サージ電流値としてメモリに記憶するＣＰＵを設け、インターフェースを介して外部コンピュータに記憶データを取り込むようにした雷サージ検出機能付保安装置である。
【０００７】
避雷素子としてはバリスタ、アレスタなどが使用できる。電流センサとしては貫通型の変流器（ＣＴ）を用いることができる。ＣＰＵ内に設けるメモリとしては書き換え可能な不揮発性メモリ、例えばＥＥＰＲＯＭが使用できる。インターフェースを介して外部コンピュータと接続する通信方式としてはＲＳ−２３２Ｃ、ＲＳ−４２２、ＲＳ−４８５、ＵＳＢなどのシリアル通信方式を用いることができる。近接地点で通信する場合はＲＳ−２３２Ｃ、離隔地点で通信する場合はＲＳ−４２２、ＲＳ−４８５を用いれば良く、また、ＲＳ−４８５を用いれば複数個所の保安装置を一台の外部コンピュータに接続することが可能となる。また、電力搬送通信が実用化されつつあるが、電力搬送通信によるデータ通信を利用すれば、離隔地点から複数個所の保安装置を監視することが可能となる。
【考案の効果】
【０００８】
本考案に係る雷サージ検出機能付保安装置によれば、雷サージから負荷を保護することができるのは勿論、電源線に雷サージによる過電圧が侵入してバリスタ等の避雷素子が動作した際、その検出日時、時間、電流値を検出・記憶することができるので、落雷時の設備点検の貴重なデータとして使用することができる。また、過去の動作履歴によって避雷素子の劣化状態も把握することが可能となる。
【考案を実施するための最良の形態】
【０００９】
以下添付の図面に従って本考案に係る雷サージ検出機能付保安装置の実施態様について説明する。
【００１０】
図１は、本考案に係る雷サージ検出機能付保安装置の一例を示すもので、避雷素子としてはバリスタ１を使用している。電源線Ｌ、Ｎはバリスタ１を介して接地されており、接地線に電流センサ２が配設されている。電流センサ２には整流回路３が接続され、電流センサ２で発生した誘起電流を電圧に変換して充電回路４に一時的に蓄えるようにしている。充電回路４と並列にトリガ回路５が設けられ、整流回路３の出力電圧が一定値以上になるとトリガー信号を発生する。トリガー信号がＣＰＵ回路に加わるとこれと同一ブロックに設けられたＡ／Ｄ変換器でＡ／Ｄ変換して発生日時、電流値が不揮発性メモリＥＥＰＲＯＭに記憶される。表示器６を接続しておくことにより、必要に応じてその場で確認することもできる。また、インターフェース７と外部コンピュータＰＣをＰＳ−２３２Ｃのような通信手段を介して接続することにより、被雷履歴のデータを取り込み可能としている。図中ＡＣ／ＤＣはトリガ回路５及びＣＰＵ等の電源である。
【００１１】
図２は、電力搬送通信を用いた場合の実施例を示すもので、電力搬送通信用のモデム８を使用する以外は図１と同様である。離れた場所にあるコンピュータＰＣにおいて複数個所の保安装置における被雷履歴を集中的に監視することができる。
【００１２】
なお、上記は実施態様の一例を示すもので、本考案の技術的思想の範囲内において種々の態様を採用し得ることはいうまでもない。
【図面の簡単な説明】
【００１３】
【図１】本考案に係る雷サージ検出機能付保安装置の一例を示すブロック図
【図２】同保安装置の他の実施例を示すブロック図
【符号の説明】
【００１４】
１…バリスタ
Ｌ、Ｎ…電源線
２…電流センサ
３…整流回路
４…充電回路
５…トリガ回路
６…表示器
７…インターフェース
【図１】
0003128869.tif 000003
【図２】
0003128869.tif 000004
(57)【要約】【課題】保冷材により疲れ目を改善し、タイマー付であるので短時間の仮眠にも安心して使用でき、熟睡できる。【解決手段】粉末ポリマーに水を含ませる。気化する際に熱を奪うことで温度が下がり、その効果で冷やす。水温なので、冷えすぎを防ぎ安心して熟睡できる。タイマーつきで、予定時間がくると振動して起こしてくれるので寝過ごすことを防ぐことができる。【選択図】図１
0003128898.tif 000002
【実用新案登録請求の範囲】
【請求項１】
水を含ませた粉雪ポリマーの袋をカバー入れ、予定時間がくるとタイマーが振動板を振動し目覚めさせるアイマスク。
【考案の詳細な説明】
【考案の開示】
【考案が解決しようとする課題】
【００１】目が疲れると、冷やすことで癒されるが、氷をタオルで覆うと効果が薄れ、タオルに水を含ませるとはみ出た部分が寝具、衣服を濡らす。
短時間の仮眠をとろうとしても昼間は明るくなかなか眠ることができない。寝付くころには時間がきて起きなくてはならない。
わずかの休憩時間に仮眠をとることが困難である。
体は起きていても、目がまだ眠くあと少し眠りたい時、意に反して眠れない。
【課題を解決するための手段】
【００２】粉雪ポリマーにどこでも手に入る水道水を含ませることで、気化するときに熱を奪い温度を下げる効果で、冷たすぎない温度で安全に使用することができる。【００３】タイマーを付け、時間がくるとアイマスクを振動することで目を覚ますことができる。
【考案の効果】
【００４】冷やすことで、疲れ目を癒し、気持ちよく熟睡できる。【００５】タイマーを付けることで、時間がくれば振動し短時間の仮眠でも寝過ごすことを予防できる。【００６】どこでも手に入る水道水を使用することで、いつでも使用可能。【００７】時間がくれば振動し、音を出さないので、他人に迷惑をかけない。【００８】温度は水温であるので、冷えすぎることによる不快感はない。【００９】携帯できる。
【図面の簡単な説明】
【図１】タイマー付の冷やすアイマスクを示した平面図である。
【図２】タイマー付の冷やすアイマスクを示した断面図である。
【符号の説明】
１．アイマスクカバー
２．粉末ポリマー入り袋
３．振動板
４．タイマー
５．ベルト
６．マジックテープ
【図１】
0003128898.tif 000003
【図２】
0003128898.tif 000004
【手続補正書】
【提出日】平成18年10月16日(2006.10.16)
【手続補正１】
【補正対象書類名】実用新案登録請求の範囲
【補正対象項目名】全文
【補正方法】変更
【補正の内容】
【実用新案登録請求の範囲】
【請求項１】
粉雪ポリマーを詰めた中袋と、中袋を収納するタイマーと連動する振動板を取付けた外袋の構造を有するアイマスク
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】短時間の仮眠をとろうとしても周囲が明るくなかなか熟睡できず、眠れたときは予定時間を過ぎて寝過ごすことがあり、又水を絞ったタオルを使用すると衣服を濡らすことがある。
【課題を解決するための手段】
【０００２】中袋と外袋の２つの袋を作り、中袋に粉雪ポリマーを詰める。【０００３】外袋にタイマーと連動した振動板を取付け、粉末ポリマーを詰めた中袋を外袋の中に入れる。
【考案の効果】
【０００４】中袋に詰めた粉雪ポリマーに水を含ませると、その気化作用で温度が下がり、疲れ目を冷やし且、癒しながら熟睡できる。【０００５】タイマーを取付けることで、予定時間に目を覚ますことができる。【０００６】水はどこでも手に入るので、必要な時に使用できる。【０００７】タイマーに連動した振動板を振動させることで音を出さず、周囲の他人に迷惑をかけず目を覚ます事ができる。【０００８】冷やす温度は水温であるので、冷えすぎず不快感は無く、体に悪影響を与えない。【０００９】事前に冷却、凍らせる必要が無いので、外出先でも使用出来る。
【図面の簡単な説明】
【００１０】
【図１】タイマー付の冷やすアイマスクを示した平面図である。
【図２】アイマスクの断面図である。
【図３】全体図である。
【符号の説明】
【００１１】１．      タイマーと振動板を取付けた外袋
２．      粉雪ポリマーを詰めた中袋
３．      振動板
４．      タイマー
５．      ベルト
６．      面ファスナー
【手続補正３】
【補正対象書類名】図面
【補正対象項目名】全図
【補正方法】変更
【補正の内容】
【図１】
0003128898.tif 000005
【図２】
0003128898.tif 000006
【図３】
0003128898.tif 000007